(57)【要約】      （修正有）【課題】製造および在庫品管理を著しく簡単化するカバー用プロファイル・ストリップの提供。【解決手段】カバー用プロファイル・ストリップ５は、平坦なストリップ６を、例えばブランクとして有し、このストリップは、セパレーションジョイント４に幅方向に跨り、このセパレーションジョイント４に係合しかつ寸法を事前選択することができる少なくとも１つの接着ストリップ７，８を有し、この接着ストリップの高さは、少なくとも、複数の装飾プレート２，３の材料の厚さに対応し、１つのまたは複数の接着ストリップ７，８の、複数の装飾プレート２，３に直接向いた狭い側の、間隔は、セパレーションジョイント４の幅よりも短い。【選択図】図１
0003130243.tif 000002
【実用新案登録請求の範囲】
【請求項１】
壁部または家具を上張りするための複数の装飾プレートの間のセパレーションジョイントの底部に接着されるカバー用プロファイル・ストリップであって、前記セパレーションジョイントの底部に搭載され、前記カバー用プロファイル・ストリップの側方の肩部すなわち縁部領域が、前記セパレーションジョイントの両側で前記複数の装飾プレートを被さってなるカバー用プロファイル・ストリップにおいて、
前記カバー用プロファイル・ストリップ（５，５´，５´´）は、平坦なストリップ（６）を、例えば、木、金属またはプラスチック製のブランクとして有し、このストリップは、前記セパレーションジョイント（４，４´，４´´）に幅方向に跨り、このセパレーションジョイント（４，４´，４´´）に係合しかつ寸法を事前選択することができる少なくとも１つの接着ストリップ（７，８；７´，８´；１０）を有し、この接着ストリップの高さは、少なくとも、前記複数の装飾プレート（２，３；２´，３´；２´´，３´´）の材料の厚さに対応し、前記１つのまたは複数の接着ストリップ（７，８；７´，８´；１０）の、前記複数の装飾プレート（２，３；２´，３´；２´´，３´´）に直接向いた狭い側の、間隔は、前記セパレーションジョイント（４，４´,４´´）の幅よりも短いことを特徴とするカバー用プロファイル・ストリップ。
【請求項２】
前記複数の接着ストリップ（７，８；７´，８´；１０）の側方に、互いに間隔をあけた複数のスペーサ、特に位置決め突出部（１１）が、前記セパレーションジョイントの縁部の方に突出する状態で設けられていることを特徴とする請求項１に記載のカバー用プロファイル・ストリップ。
【考案の詳細な説明】
【技術分野】
【０００１】
本考案は、壁部または家具を上張りするための複数の装飾プレートの間のセパレーションジョイントのためのカバー用プロファイル・ストリップに関する。このカバー用プロファイル・ストリップは、特に、セパレーションジョイントの底部に接着するために、セパレーションジョイントの底部に載っており、カバー用プロファイル・ストリップの側方の肩部すなわち縁部領域は、複数の装飾プレートを、セパレーションジョイントの両側で被さる。
【背景技術】
【０００２】
複数の装飾プレートまたはパネルが敷かれるとき、通常、これらの装飾プレートの間にセパレーションジョイントが入れられる。その目的は、特に、複数の装飾プレートの熱膨張の際の収縮および圧縮を防止するためである。接着された複数の装飾プレートも、熱または湿気によって、寸法を変化させる。そのとき、セパレーションジョイントはエクスパンションジョイントの作用を有する。壁部を構造化するためには、このようなセパレーションジョイントは際立たされ、伸張の際に必要であろうよりも大きな幅にデザインされる。これらのセパレーションジョイントは、ベース、すなわちセパレーションジョイントの底部を空けて、底部を見えるようにする。従って、カバー用プロファイル・ストリップは、丈の低いＴ字形の横断面を有する押出成形部品として使用される。セパレーションジョイントの底部まで延びているプロファイル部品によって、カバー用プロファイル・ストリップが、セパレーションジョイントの底部に接着または固定される。プロファイルの横断面の側方の肩部は、セパレーションジョイントの直ぐ近くで、複数の装飾プレートの、両側の縁部領域に被さる。このように知られておりかつ広く普及している実施の形態は、セパレーションジョイントの各々の幅およびセパレーションジョイントの種々の深さのための別個の射出成形ツールを必要とする。製造および在庫品管理は高価である。セパレーションジョイントの幅およびセパレーションジョイントの深さに最適に調整されていない現在、あるカバー用プロファイル・ストリップが使用されることは希でない。このことが、壁部の上張りにおける熱による損傷をもたらすことがあるのは、例えば、セパレーションジョイントに係合するプロファイル部品が、セパレーションジョイントを完全に満たす場合である。
【考案の開示】
【考案が解決しようとする課題】
【０００３】
本考案は、製造および在庫品管理を著しく簡略化することを目的とする。
【課題を解決するための手段】
【０００４】
このことが達成されるのは、カバー用プロファイル・ストリップが、平坦なストリップを、例えば、木、金属またはプラスチック製のブランクとして有し、このストリップは、セパレーションジョイントに幅方向に跨り、このセパレーションジョイントに係合しかつ寸法を事前選択することができる少なくとも１つの接着ストリップを有し、この接着ストリップの高さは、少なくとも、複数の装飾プレートの材料の厚さに対応し、１つまたは複数の接着ストリップの、複数の装飾プレートに直接向いた狭い側の、間隔は、セパレーションジョイントの幅よりも短いことによってである。
【０００５】
従って、カバー用プロファイル・ストリップは、２つの簡単な構成部材から、必要に応じて組み立てられる。このことによって、射出成形の際に実際よりも全く異なった多様な装飾的な外観が実現される。ストリップ形状に切断されたすべての装飾プレート、例えば、レザー、繊維等からなる覆いによって仕上げ加工されたストリップを使用することができ、ほぼ無制限の数で用いる。固定するためには、材料の厚さの異なる接着ストリップが必要であり、倉庫に入れられる。幅の広いセパレーションジョイントの幅を広くするために、複数の接着ストリップの２つまたは３つが互いに平行にかつ間隔をあけて用いられる。接着ストリップと、セパレーションジョイントの縁部を形成する複数の装飾プレートとの間隔が重要である。この間隔は、複数の装飾プレートの材料の伸びを吸収するために、十分に空けなければならない。複数の接着ストリップが万が一複数の装飾プレートに接触するときは、複数の装飾プレートが熱膨張または湿気による伸びの際に歪むという危険性がある。このことは、間隔によって防止される。同様に、接着ストリップの高さすなわち材料の厚さによって、装飾プレートの材料の厚さと調整して達成されるのは、複数の装飾プレートが、伸びの際に、カバー用プロファイル・ストリップの下方に押し込まれることができることである。万一、面同士が接触する可能性があっても、スムーズな相対運動への影響がない状態になければならない。従って、カバー用プロファイル・ストリップはセパレーションジョイントの底部のみに固定され、隣接したまたは重なり合った複数の装飾プレートに対し固定されていない。そこでは、接着はなされない。本考案に係わるカバー用プロファイル・ストリップを具体的な位置に即座にかつ問題なしに取着できるようにするためには、複数の接着ストリップの側方に、互いに間隔をあけた複数のスペーサ、特に位置決め突出部が、セパレーションジョイントの縁部の方に突出する状態で設けられていることは適切である。複数のスペーサは、部分的に、セパレーションジョイントの全幅を検知するので、中心の位置決めが保証されている。
【考案を実施するための最良の形態】
【０００６】
以下、図面を参照して本考案の実施の形態を説明する。本考案の主題の複数の実施の形態は複数の図面に示されている。
【０００７】
図１は２つの装飾プレートの間のセパレーションジョイントに跨って延びる、本考案に係わるカバー用プロファイル・ストリップの断面図を示す。図２はセパレーションジョイントの深さが少ない類似のカバー用プロファイル・ストリップを示す。図３はセパレーションジョイントが狭いカバー用プロファイル・ストリップを示す。図４は位置決め突出部の特殊な例を略示する。
【０００８】
図１に示すように、複数の装飾プレート２，３は壁部１と接着されている。接着結合の代わりに、事前に取り付けられたクランプ等での差込結合も可能である。ここでは、接着結合が前提となっている。装飾プレート２，３は、技術的な理由から、間隔をあけて敷かれている。セパレーションジョイント４は、少なくとも、熱膨張の吸収のために必要な幅を有する。ここでは、セパレーションジョイントは、比較的幅広くデザインされている。その目的は、いずれにせよ、例えば、スピーカ用ケーブル、電話用ケーブルまたは電気ワイヤをセパレーションジョイント４に導くためである。当然ながら、セパレーションジョイント４に関する複数の観点のうちの１つは、その視覚的外観に比較して幅の広いカバー用プロファイル・ストリップ５によって構造化されている壁部でもある。図１に示すように、カバー用プロファイル・ストリップ５は複数構成で形成されている。プロファイルは、例えば木製の平坦なストリップ６および２つの接着ストリップ７，８から構成されている。ストリップ６は、ここではレザー９で被覆されている木製ブランクであってもよい。被覆部はストリップ６の縦縁を包む。接着ストリップ７，８の高さは、装飾プレート２，３の材料の厚さへ調整されている。図１に示すように、レザーが被覆されているストリップ６の、長手方向に延びる縁部領域は、緩く、すなわち部分的な接着または取着なしに装飾プレート２，３に接触している。横方向での相対移動は常に可能である。カバー用プロファイル・ストリップ５を、メーカーから、僅かなコストでかつ最小限の在庫品管理で、豊富なサイズで提供し、短期間で供給することができる。従来、複数の揃いのプロファイルを、一体的なストリップとして、特殊なツールを用いて、押出成形法で製造しなければならなかった。
【０００９】
前述のように、接着ストリップ７，８の材料の厚さすなわち高さは、適宜調整するための基準となる。他の基準として、接着ストリップ７，８と、セパレーションジョイント４にある装飾プレート２，３の端面との側方の間隔ｘも加わる。この間隔は，通常、３ないし５ｍｍであり、装飾プレートの熱膨張ための遊び空間および出来る限り大きな接着面への要求から生じる。図１では、複数の接着ストリップ７，８の間で、導線のための通路も見ることができる。
【００１０】
図２はカバー用プロファイル・ストリップ５´を有する実施の形態を示す。このカバー用プロファイル・ストリップは、図１に示すレザー被覆部９を有するストリップ６から始まって、図１より平坦な接着ストリップ７´，８´を有する。何故ならば、装飾プレート２´，３´（例えば、アルミニウムプレート）が図１よりも薄く、これによりセパレーションジョイント４´の深さが図１よりも浅くなるからである。
【００１１】
図３は、狭いカバー用プロファイル・ストリップ５´´を有する、図１および２よりも狭いセパレーションジョイント４´´を示す。このカバー用プロファイル・ストリップの構造体は只１つの接着ストリップ１０を有する。この接着ストリップ１０は、本考案では、セパレーションジョイントの幅よりも狭い。接着ストリップ１０ならびに接着ストリップ７，８および７´，８´は、図４では、側方に、複数のスペーサ、例えば位置決め突出部１１を有する。その目的は、装飾プレート２´´と３´´の間の夫々のセパレーションジョイント４´´における中心での組込みを容易にするためである。これらの位置決め突出部１１は、部分的に、必要な間隔ｘに跨るが、装飾プレート２，３または２´，３´またはここでは２´´，３´´の材料の伸張を妨げない。位置決め突出部は、接着ストリップ７，８，７´，８´，１０から斜めに突出するフィンガとして形成されていてもよい。
【図面の簡単な説明】
【００１２】
【図１】図１は２つの装飾プレートの間のセパレーションジョイントに跨って延びる、本考案に係わるカバー用プロファイル・ストリップの断面図を示す。
【図２】図２はセパレーションジョイントの深さが少ない類似のカバー用プロファイル・ストリップを示す。
【図３】図３はセパレーションジョイントが狭いカバー用プロファイル・ストリップを示す。
【図４】位置決め突出部の特殊な例を略示する。
【符号の説明】
【００１３】
１  壁部
２  装飾プレート
２´  装飾プレート
２´´  装飾プレート
３  装飾プレート
３´  装飾プレート
３´´  装飾プレート
４  セパレーションジョイント
４´  セパレーションジョイント
４´´  セパレーションジョイント
５  カバー用プロファイル・ストリップ
５´  カバー用プロファイル・ストリップ
５´´    カバー用プロファイル・ストリップ
６  ストリップ
７  接着ストリップ
７´  接着ストリップ
８  接着ストリップ
８´  接着ストリップ
９  レザー
１０  接着ストリップ
１１  スペーサ
【図１】
0003130243.tif 000003
【図２】
0003130243.tif 000004
【図３】
0003130243.tif 000005
【図４】
0003130243.tif 000006